(57)【要約】【課題】  使い捨て収納袋を用い、袋内以外に犬糞を付着させないで廃棄できる状態に簡単に収容し、不快感なく持ち運びできる携帯用犬糞処理器を提供する。【解決手段】  犬糞を受けるため、上向き面を有する受け板（１）とその受け面（１３）に被せた、犬糞を収容するための使い捨て収納袋（４）、使い捨て収納袋を反転する動作が可能な下把持部品（２１）を設けた動作部品（２）で構成した器具を特徴とする。この器具、犬糞を収容した使い捨て収納袋（４１）は容器（３）に収納できる。【選択図】  図１
2006061148.tif 000002
【特許請求の範囲】
【請求項１】
シート状物の保持手段としての上把持部品（１１）を設けた犬糞を受けるため、上向き面を有する受け板（１）とその受け面（１３）に、犬糞を収容するための使い捨て収納袋（４）を被せ、使い捨て収納袋（４）を反転する動作が可能な下把持部品（２１）を設けた動作部品（２）を有するような構造を持つ携帯用犬糞処理器。
【発明の詳細な説明】
【技術分野】
【０００１】  この発明は犬が排泄した糞（地上に落下する前と地上に落下後のもの）を使い捨て収納袋の中に回収するために用いられる携帯用犬糞処理器に関するものである。
【背景技術】
【０００２】  従来から犬糞を処理するための用具には、地上に落下する前に糞を受け取るもの、地上に落ちた糞を掴み取るもの、地上に落ちた糞を掬うもの、この中の複数できるものが考案されている。１０年前ぐらいからは器具の汚れ防止のため使い捨て収納袋を使用するものが多くなっている。その中で器具を使用して犬糞と接触する袋の外側を内側になるように反転するものが考案されている。例えば特開２０００−３００１０４号公報では枠に止められていた袋の中に汚物受けを入れ、汚物受け部を引き抜くことで犬糞の自重で犬糞を載せたまま、外側表面が内側となるように裏返すものである。実用新案登録第３００６９８９号公報では支持枠に糞収納袋を取り付け、この収納袋の上縁を中央に配置し前後方向に移動自在なクランプにて挟持し、糞を載せてその自重で外側表面が内側となるように反転するものである。【０００３】
【特許文献１】  特開２０００−３００１０４号公報
【特許文献２】  実用新案登録第３００６９８９号公報
【発明の開示】
【発明が解決しようとする課題】
【０００４】  従来の技術においては次のような欠点があった。
（イ）反転する前又は反転不十分の状態で使い捨て収納袋に触れなければならないため、袋の汚れに接触する機会がある。
（ロ）使い捨て収納袋を裏返す機能を有した犬糞処理器の中で地上に落ちた糞を掴む、掬う、地上に落下する前に糞を受け取るの３つの行為ができるものがない。
（ハ）使用後の使い捨て収納袋を片手で反転操作できるようにする伝動装置、動力装置取り付けが難しい。
本発明はこれらの欠点を除くため、なされたものである。
【課題を解決するための手段】
【０００５】  受け板（１）に動作部品（２）を設ける。受け板（１）の受け面（１３）に使い捨て収納袋（４）を被せ、この袋の上端口を受け板（１）に取り付けた上把持部品（１１）、下端口を動作部品（２）に取り付けた下把持部品（２１）に把持する。この器具と犬糞を収容した使い捨て収納袋（４１）は容器（３）に収納できる構造である。
本発明は以上のような構成よりなる携帯用犬糞処理器である。
【発明の効果】
【０００６】  発明は以上のような構造で使用状態は図６のように犬の排便位置の下に受け板（１）穴を合わせて置き、受け面に被せた使い捨て収納袋（４）で犬糞を受ける。地面、床にある犬糞は受け板（１）の取手部（１２）を持ち、受け面で掬う。又は図５のように受け板（１）と動作部品（２）の間に挟み、その間にある袋に収容する。受け板（１）の受け面（１３）上にある犬糞は動作部品（２）をこの受け面先端を通過させることによって使い捨て収納袋が反転し袋中に収容できる。図２〜図３はこの実施例である。この犬糞を収容した使い捨て収納袋（４１）と受け板（１）から構成された器具は容器（３）に収納する。使い捨て収納袋の反転は下把持部品（２１）に一体となったグリップ（２２）で動作部品（２）を操作するため裏返す前の袋に触れなくてもよい。犬糞を受ける、掬うだけでなく図５のように掴むこともできる。図７伝動装置付平面図、図８伝動装置付正面図は片手で操作できるように伝動装置を取り付けた例である。この例では伝動装置としてラックとピニオンを用いたものである。このように伝動装置取り付けも容易である。
【発明を実施するための最良の形態】
【０００７】  以下、本案実施の形態について図面に沿って説明する。図１は受け板と動作部品で構成された器具を容器に収納した本発明の斜視図である。図２は受け板と動作部品で使い捨て収納袋を使用して犬糞を処理する受け板から構成された器具の斜視図である。
受け板（１）に受け面（１３）先端を通過できる動作部品（２）を設ける。次に受け板（１）に上把持部品（１１）、動作部品（２）の受け面（１３）先端を通過する部分に下把持部品（２１）を設ける。使い捨て収納袋（４）を受け板（１）の受け面（１３）に被せこの袋の上端口を上把持部品（１１）、下端口を下把持部品（２１）に取り付ける。受け板（１）から構成された器具とこの犬糞を収容した使い捨て収納袋（４１）は容器（３）に収納できる。
本案を使用するときは図６のように犬の排便機会に排便位置の下に受け板（１）穴を合わせて置き、受け面（１１）に被せた使い捨て収納袋（４）で犬糞を受ける。地面、床にある犬糞は受け板（１）の取手部（１２）を持ち、受け面（１３）で掬う。又は図５のように下把持部品（２１）に一体となったグリップ（２２）で動作部品（２）を操作し受け板（１）と動作部品（２）の間に挟み、その間にある袋に収容する。受け板（１）の受け面上にある犬糞は動作部品（２）の下把持部品（２１）をこの受け面（１３）先端を通過させることによって使い捨て収納袋が反転し袋中に収容できる。この犬糞を収容した使い捨て収納袋（４１）と受け板（１）から構成された器具は図１のように容器（３）に収納する。【０００８】  図７伝動装置付平面図、図８伝動装置付正面図は片手で操作できるように伝動装置を取り付けた例である。この例では伝動装置としてラックとピニオンを用いたものである。図７、図８の状態は取手（５）を持ちレバー（６）を引いてバネ（７）に蓄力した状態である、図７、図８の状態からロック（８）を解除するとバネ（７）により下ラック（６１）、ピニオン（２５）、上ラック（１４）が図８の矢印方向に動作し、動作部品（２）の下把持部品（２１）をこの受け面（１３）先端を通過させることによって使い捨て収納袋（４）を反転し袋中に受け板（１）上にある犬糞を袋中に収容できる。
【図面の簡単な説明】
【０００９】
【図１】  本発明の斜視図である。
【図２】  受け板から構成された器具の斜視図である。
【図３】  動作部品の紐取り付け例の斜視図である。
【図４】  動作部品のガイド取り付け例の斜視図である。
【図５】  地上に落ちた糞を掴む状態の斜視図である。
【図６】  地上に落下する前に糞を受ける状態の斜視図である。
【図７】  伝動装置付平面図。片手で操作できるように伝動装置を取り付けた例である。この例では伝動装置としてラックとピニオンを用いたものである。
【図８】  伝動装置付正面図。片手で操作できるように伝動装置を取り付けた例である。この例では伝動装置としてラックとピニオンを用いたものである。
【符号の説明】
【０００１０】１  受け板    ２  動作部品    ３  容器    ４  使い捨て収納袋    ５  取手
６  レバー    ７  バネ    ８  ロック
１１  上把持部品    １２  取手部    １３  受け面    １４  上ラック
２１  下把持部品    ２２  グリップ    ２３  紐    ２４  ガイド    ２５  ピニオン
４１  犬糞を収容した使い捨て収納袋    ４２  予備使い捨て収納袋
６１  下ラック
【図１】
2006061148.tif 000003
【図２】
2006061148.tif 000004
【図３】
2006061148.tif 000005
【図４】
2006061148.tif 000006
【図５】
2006061148.tif 000007
【図６】
2006061148.tif 000008
【図７】
2006061148.tif 000009
【図８】
2006061148.tif 000010